【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
ゲーム・デバイスであって、
複数の第１報償シンボルと複数の第２報償シンボルとを含む報償インディケータと、
前記第１報償シンボルと関連付けられている複数の第１報償と、
前記第２報償シンボルと関連付けられている複数の第２報償と、
前記第１報償シンボルと関連付けられている複数の第１活性化可能シンボル・インディケータと、
前記第２報償シンボルと関連付けられている複数の第２活性化可能シンボル・インディケータと、
プレーヤに前記第１シンボル・インディケータの１つを選定させて該選定された第１シンボル・インディケータを活性化させ、プレーヤに前記第２シンボル・インディケータの１つを選定させて該選定された第２シンボル・インディケータを活性化させ、前記活性化された第１シンボル・インディケータに前記報償インディケータ上で前記第１報償シンボルの１つを示させ、前記活性化させた第２シンボル・インディケータに前記報償インディケータの第２報償シンボルの１つを示させ、前記示された第１及び第２報償シンボルと関連付けられている第１及び第２報償に基づいて、総報償をプレーヤに与えるように動作可能なプロセッサと
を備えていることを特徴とするゲーム・デバイス。
【請求項２】
請求項１記載のゲーム・デバイスにおいて、前記第１報償シンボル及び前記第２報償シンボルは、関係付けられていることを特徴とするゲーム・デバイス。
【請求項３】
請求項２記載のゲーム・デバイスにおいて、前記第１報償シンボル及び前記第２報償シンボルは、前記報償インディケータ上においてその位置によって関係付けられていることを特徴とするゲーム・デバイス。
【請求項４】
請求項２記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償がほぼ同一となるように配列されていることを特徴とするゲーム・デバイス。
【請求項５】
請求項２記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの各指示において異なるように配列されていることを特徴とするゲーム・デバイス。
【請求項６】
請求項２記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの複数の指示において異なるように配列されていることを特徴とするゲーム・デバイス。
【請求項７】
請求項１記載のゲーム・デバイスにおいて、前記第１報償及び第２報償の少なくとも１つは、同一であることを特徴とするゲーム・デバイス。
【請求項８】
請求項１記載のゲーム・デバイスにおいて、複数の前記第１報償及び第２報償が同一であることを特徴とするゲーム・デバイス。
【請求項９】
請求項１記載のゲーム・デバイスにおいて、前記第１報償及び第２報償の全てが異なることを特徴とするゲーム・デバイス。
【請求項１０】
請求項１記載のゲーム・デバイスにおいて、前記第１及び第２報償の少なくとも１つが変更子を含むことを特徴とするゲーム・デバイス。
【請求項１１】
請求項１０記載のゲーム・デバイスにおいて、前記変更子は、乗数を含むことを特徴とするゲーム・デバイス。
【請求項１２】
請求項１記載のゲーム・デバイスにおいて、前記総報償は、前記示された第１及び第２報償シンボルと関連付けられている第１及び第２報償の和であることを特徴とするゲーム・デバイス。
【請求項１３】
請求項１記載のゲーム・デバイスにおいて、前記総報償は、前記示された第１及び第２報償シンボルと関連付けられている第１及び第２報償の積であることを特徴とするゲーム・デバイス。
【請求項１４】
請求項１記載のゲーム・デバイスにおいて、該デバイスは、前記報償インディケータを表示するように動作可能なディスプレイ・デバイスを含むことを特徴とするゲーム・デバイス。
【請求項１５】
請求項１４記載のゲーム・デバイスにおいて、前記ディスプレイ・デバイスは、タッチ・スクリーンを含むことを特徴とするゲーム・デバイス。
【請求項１６】
請求項１記載のゲーム・デバイスにおいて、該デバイスは、前記プロセッサと通信するタッチ・スクリーンを含み、前記セレクタは、プレーヤに前記第１シンボル・インディケータの１つと前記第２シンボル・インディケータの１つを選択させることを特徴とするゲーム・デバイス。
【請求項１７】
請求項１記載のゲーム・デバイスにおいて、前記報償インディケータは、前記第１及び第２シンボル・インディケータに対して移動することを特徴とするゲーム・デバイス。
【請求項１８】
請求項１記載のゲーム・デバイスにおいて、前記第１及び第２シンボル・インディケータは、前記報償インディケータに対して移動することを特徴とするゲーム・デバイス。
【請求項１９】
請求項１記載のゲーム・デバイスにおいて、前記第１報償シンボル及び第２報償シンボルは、少なくとも１つのボーナス・シンボルを含むことを特徴とするゲーム・デバイス。
【請求項２０】
請求項１９記載のゲーム・デバイスにおいて、前記報償インディケータの少なくとも１回の無料活性化が、前記ボーナス・シンボルと関連付けられていることを特徴とするゲーム・デバイス。
【請求項２１】
請求項１記載のゲーム・デバイスにおいて、該デバイスは、プレーヤ選択可能な複数の第１入力とプレーヤ選択可能な複数の第２入力とを有する選択ディスプレイを含み、前記第１入力は前記第１シンボル・インディケータに対応し、前記第２入力は前記第２シンボル・インディケータに対応することを特徴とするゲーム・デバイス。
【請求項２２】
請求項１記載のゲーム・デバイスにおいて、前記第１集合の少なくとも２つのゲーム・インディケータは、同一の平均期待値を有することを特徴とするゲーム・デバイス。
【請求項２３】
請求項２２記載のゲーム・デバイスにおいて、前記第２集合の少なくとも２つのゲーム・インディケータは、同一の平均期待値を有することを特徴とするゲーム・デバイス。
【請求項２４】
請求項１記載のゲーム・デバイスにおいて、前記第１集合のシンボル・インディケータの全ては、同一の平均期待値を有することを特徴とするゲーム・デバイス。
【請求項２５】
請求項２４記載のゲーム・デバイスにおいて、前記第２集合のシンボル・インディケータの全ては、同一の平均期待値を有することを特徴とするゲーム・デバイス。
【請求項２６】
請求項１記載のゲーム・デバイスにおいて、各第１報償は、各第１シンボル・インディケータと関連付けられる確率を有することを特徴とするゲーム・デバイス。
【請求項２７】
請求項１記載のゲーム・デバイスにおいて、各第２報償は、各第２シンボル・インディケータと関連付けられる確率を有することを特徴とするゲーム・デバイス。
【請求項２８】
ゲーム・デバイスであって、
複数の第１報償シンボルと、複数の第２報償シンボルとを含む複数の報償インディケータと、
前記報償インディケータの各々の第１報償シンボルに隣接して配置されている複数の第１活性化可能シンボル・インディケータと、
前記報償インディケータの各々の第２報償シンボルに隣接して配置されている複数の第２活性化可能シンボル・インディケータと、
前記報償インディケータの少なくとも１つについて、前記第１報償シンボルと関連付けられている複数の第１報償と、
前記報償インディケータの少なくとも１つについて、前記第２報償シンボルと関連付けられている複数の第２報償と、
プレーヤに前記報償インディケータの少なくとも１つと関連付けられている前記第１シンボル・インディケータの少なくとも１つを選定させて前記選定した第１シンボル・インディケータを活性化させ、プレーヤに前記報償インディケータの少なくとも１つと関連付けられている前記第２シンボル・インディケータの１つを選定させて前記選定した第２シンボル・インディケータを活性化させ、前記活性化された第１シンボル・インディケータに前記報償インディケータ上で前記第１報償シンボルの１つを示させ、前記活性化された第２シンボル・インディケータに前記報償インディケータの第２報償シンボルの１つを示させ、前記示された第１及び第２報償シンボルと関連付けられている第１及び第２報償に基づいて、総報償をプレーヤに与えるように動作可能なプロセッサと
を備えていることを特徴とするゲーム・デバイス。
【請求項２９】
請求項２８記載のゲーム・デバイスにおいて、前記第１報償の少なくとも１つ及び第２報償の少なくとも１つは同一であることを特徴とするゲーム・デバイス。
【請求項３０】
請求項２８記載のゲーム・デバイスにおいて、複数の前記第１報償及び第２報償が同一であることを特徴とするゲーム・デバイス。
【請求項３１】
請求項２８記載のゲーム・デバイスにおいて、前記第１報償及び第２報償の全てが異なることを特徴とするゲーム・デバイス。
【請求項３２】
請求項２８記載のゲーム・デバイスにおいて、前記第１及び第２報償の少なくとも１つが変更子を含むことを特徴とするゲーム・デバイス。
【請求項３３】
請求項２８記載のゲーム・デバイスにおいて、前記変更子は乗数を含むことを特徴とするゲーム・デバイス。
【請求項３４】
請求項２８記載のゲーム・デバイスにおいて、前記総報償は、前記示された第１及び第２報償シンボルと関連付けられている第１及び第２報償の和であることを特徴とするゲーム・デバイス。
【請求項３５】
請求項２８記載のゲーム・デバイスにおいて、前記総報償は、前記示された第１及び第２報償シンボルと関連付けられている第１及び第２報償の積であることを特徴とするゲーム・デバイス。
【請求項３６】
請求項２８記載のゲーム・デバイスにおいて、該デバイスは、前記報償インディケータを表示するように動作可能なディスプレイ・デバイスを含むことを特徴とするゲーム・デバイス。
【請求項３７】
請求項３６記載のゲーム・デバイスにおいて、前記ディスプレイ・デバイスは、タッチ・スクリーンを含むことを特徴とするゲーム・デバイス。
【請求項３８】
請求項２８記載のゲーム・デバイスにおいて、該デバイスは、前記プロセッサと通信するタッチ・スクリーンを含み、前記セレクタは、プレーヤに前記第１シンボル・インディケータの１つと前記第２シンボル・インディケータの１つを選択させることを特徴とするゲーム・デバイス。
【請求項３９】
請求項２８記載のゲーム・デバイスにおいて、該デバイスは、前記プロセッサと通信するタッチ・スクリーンを含み、前記セレクタは、プレーヤに前記報償インディケータの１つを選択させることを特徴とするゲーム・デバイス。
【請求項４０】
請求項２８記載のゲーム・デバイスにおいて、前記第１報償シンボル又は前記第２報償シンボルは、少なくとも１つのボーナス・シンボルを含むことを特徴とするゲーム・デバイス。
【請求項４１】
請求項２８記載のゲーム・デバイスにおいて、前記報償インディケータの少なくとも１回の無料活性化が、前記ボーナス・シンボルと関連付けられていることを特徴とするゲーム・デバイス。
【請求項４２】
請求項２８記載のゲーム・デバイスにおいて、該デバイスは、プレーヤ選択可能な複数の第１入力とプレーヤ選択可能な複数の第２入力とを有する選択ディスプレイを含み、前記第１入力は前記第１シンボル・インディケータに対応し、前記第２入力は前記第２シンボル・インディケータに対応することを特徴とするゲーム・デバイス。
【請求項４３】
請求項２８記載のゲーム・デバイスにおいて、前記第１及び第２報償シンボルは、位置的に関係付けられていることを特徴とするゲーム・デバイス。
【請求項４４】
請求項４３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償がほぼ同一となるように配列されていることを特徴とするゲーム・デバイス。
【請求項４５】
請求項４３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの各指示において異なるように配列されていることを特徴とするゲーム・デバイス。
【請求項４６】
請求項４３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの複数の指示において異なるように配列されていることを特徴とするゲーム・デバイス。
【請求項４７】
ゲーム・デバイスであって、
複数の第１報償シンボルと複数の第２報償シンボルとを含む報償インディケータと、
前記第１報償シンボルと関連付けられている複数の第１報償と、
前記第２報償シンボルと関連付けられている複数の第２報償と、
前記第１報償シンボルと関連付けられている複数の第１活性化可能シンボル・インディケータと、
前記第２報償シンボルと関連付けられている複数の第２活性化可能シンボル・インディケータと、
プレーヤに前記第１シンボル・インディケータの少なくとも１つを選定させて前記選定した第１シンボル・インディケータを活性化させ、プレーヤに前記第２シンボル・インディケータの１つを選定させて前記選定した第２シンボル・インディケータを活性化させ、前記活性化させた第１シンボル・インディケータに前記報償インディケータ上で複数の前記第１報償シンボルを示させ、前記活性化させた第２シンボル・インディケータに前記報償インディケータ上で複数の第２報償シンボルを示させ、前記報償インディケータ上で示された前記第１及び第２報償シンボルと関連付けられている第１及び第２報償に基づいて、総報償をプレーヤに与えるように動作可能なプロセッサと
を備えていることを特徴とするゲーム・デバイス。
【請求項４８】
請求項４７記載のゲーム・デバイスにおいて、前記第１及び第２報償の少なくとも１つが変更子を含むことを特徴とするゲーム・デバイス。
【請求項４９】
請求項４８記載のゲーム・デバイスにおいて、前記変更子は乗数を含むことを特徴とするゲーム・デバイス。
【請求項５０】
請求項４７記載のゲーム・デバイスにおいて、前記総報償は、前記示された第１及び第２報償シンボルと関連付けられている第１及び第２報償の和であることを特徴とするゲーム・デバイス。
【請求項５１】
請求項４７記載のゲーム・デバイスにおいて、前記総報償は、前記示された第１及び第２報償シンボルと関連付けられている第１及び第２報償の積であることを特徴とするゲーム・デバイス。
【請求項５２】
請求項４７記載のゲーム・デバイスにおいて、該デバイスは、複数の第１報償シンボルと複数の第２報償シンボルとを含む複数の報償インディケータを含むことを特徴とするゲーム・デバイス。
【請求項５３】
請求項４７記載のゲーム・デバイスにおいて、前記第１及び第２報償シンボルが関係付けられていることを特徴とするゲーム・デバイス。
【請求項５４】
請求項５３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償がほぼ同一となるように配列されていることを特徴とするゲーム・デバイス。
【請求項５５】
請求項５３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの各指示において異なるように配列されていることを特徴とするゲーム・デバイス。
【請求項５６】
請求項５３記載のゲーム・デバイスにおいて、該デバイスは、前記示された第１報償シンボルの少なくとも１つ及び前記示された第２報償シンボルの少なくとも１つと関連付けられている第１及び第２報償に基づく平均期待報償を含み、前記第１及び第２報償は、前記報償インディケータ上において、前記平均期待報償が前記第１及び第２報償シンボルの複数の指示において異なるように配列されていることを特徴とするゲーム・デバイス。